(57)【要約】      （修正有）【課題】番組予告動画情報を容易に閲覧できる番組表を少ないリソースにより表示する。【解決手段】番組情報表示装置において、番組情報から番組に対するテキスト情報を抽出する番組情報抽出手段と、インターネットを通じて情報を送受信するインターネット通信手段と、アドレス情報から対応するＷｅｂページを取得するＷｅｂページ取得手段と、取得された当該Ｗｅｂページからリンクで連結されている連結Ｗｅｂページを探索するＷｅｂページ探索手段と、探索したＷｅｂページと前記番組情報の類似度を判定する類似度判定手段と、探索したＷｅｂページに予め定められた種別の情報へのリンクを含むことを判定するリンク判定手段と、探索したＷｅｂページに特定の文字列を含むことを判定する文字列判定手段と、探索したＷｅｂページに含まれる時刻を判定する時刻判定手段とを備え、番組情報と前記予め定められた種別の情報へのリンクを対応付けて表示する。【選択図】図１
2007295053.tif 000002
【特許請求の範囲】
【請求項１】
テキスト情報を含む番組情報を受信する番組情報取得手段と、
インターネットにアクセスするインターネットアクセス手段と、
上記番組情報を表示する表示装置と、
上記テキスト情報から時刻情報および番組に関する単語集合を抽出する番組情報解析手段と、
上記抽出した時刻情報および単語集合を番組解析情報として格納する記憶装置と、
上記単語集合に含まれる番組提供元を示す単語に関連付けられた所定アドレスを取得するアドレス取得手段と、
上記取得した所定アドレスに基づいてインターネット上の所定のＷｅｂページを取得し、当該取得したＷｅｂページを上記番組解析情報によって適合性判定する予告情報抽出手段とを備え、
該予告情報抽出手段は、上記取得したＷｅｂページと前記番組解析情報の相関性を評価する類似度判定手段と、上記取得したＷｅｂページが画像情報へのリンクを含むかどうかを判定するリンク判定手段と、上記取得したＷｅｂページがあらかじめ定められた特定の単語を含むかどうかを判定する文字列判定手段と、上記取得したＷｅｂページに含まれる時刻と上記番組解析情報に含まれる時刻を比較する時刻判定手段とを備え、
上記番組情報と、上記適合性判定により抽出されたＷｅｂページが含む上記リンクを示す情報とを関連付けて、上記表示装置に表示することを特徴とする番組情報表示装置。
【請求項２】
番組情報を表示させる番組情報表示装置であって、少なくともテキスト情報を含む番組情報から番組に対するテキスト情報を抽出する番組情報抽出手段と、
インターネットを通じて情報を送受信するインターネット通信手段と、
アドレス情報から対応するＷｅｂページを取得するＷｅｂページ取得手段と、
取得された当該Ｗｅｂページからリンクで連結されている連結Ｗｅｂページを探索するＷｅｂページ探索手段と、
該探索したＷｅｂページと前記番組情報の類似度を判定する類似度判定手段と、
該探索したＷｅｂページに予め定められた種別の情報へのリンクを含むことを判定するリンク判定手段と、
該探索したＷｅｂページに特定の文字列を含むことを判定する文字列判定手段と、
該探索したＷｅｂページに含まれる時刻を判定する時刻判定手段と、
を備え、
前記類似度判定手段と前記リンク判定手段と前記文字列判定手段と前期時刻判定手段の結果に基き、番組情報と前記予め定められた種別の情報へのリンクを対応付けて表示することを特徴とする、番組情報表示装置。
【請求項３】
前記特定の文字列は、「予告」「次週」「今週」「次回」「あらすじ」「ストーリー」のいずれかであることを特徴とする、請求項２の番組情報表示装置。
【請求項４】
前記予め定められた種別の情報へのリンクを対応付けて表示する際に、前記含まれていた特定の文字列を表示することを特徴とする、請求項２の番組情報表示装置。
【発明の詳細な説明】
【技術分野】
【０００１】
本発明は、番組情報の表示方法および表示装置に関するものである。
【背景技術】
【０００２】
テレビの多チャンネル化に伴い、視聴者はＥＰＧ（Ｅｌｅｃｔｒｏｎｉｃ  Ｐｒｏｇｒａｍ  Ｇｕｉｄｅ：電子番組表）や、ＥＰＧの番組情報を基にキーワードなどによる番組検索を行った結果である番組一覧表や、視聴履歴等による番組推薦機能による推薦結果である番組一覧表を参照し、番組の選択を行っている。ＥＰＧや検索結果や推薦結果の一覧表に表示される番組情報は、番組の概要をまとめたテキスト情報であり、そのテキスト情報だけからでは番組の内容を把握しづらいため、視聴者が番組を選択することは困難となっている。
【０００３】
そのため、放送される番組の予告番組を収集し、記録した予告番組をＥＰＧから表示させる番組情報表示装置に関する技術が特許文献１と特許文献２に開示されている。
【０００４】
また、番組情報中にインターネットへのＵＲＬが組込まれているという前提で、視聴中のテレビ番組に対応する当該ＵＲＬの指示する情報をテレビ画面に同時に表示する技術が特許文献３に開示されている。
【０００５】
【特許文献１】特開２００２−２６２１９１号公報
【特許文献２】特開２００３−９２７１２号公報
【特許文献３】特許３１６７１０９号公報
【発明の開示】
【発明が解決しようとする課題】
【０００６】
視聴者が番組内容をより簡単に把握するために、番組の予告動画情報を提供することは有効である。
【０００７】
特許文献１と特許文献２では、番組の予告動画情報をテレビ放送される番組の予告番組を収集して提示する方法であるため、以下の課題があった。
【０００８】
一点目の課題としては、使用するリソースの問題がある。ユーザが表示されている番組情報中の番組に対して、予告番組を見たいと考えた場合、即座に予告番組を再生する必要がある．そのためには、放送中に含まれる予告番組を端末側に格納しておくことが必要であり、端末側で多くのリソースを必要とする上に、ほとんどの予約番組は参照されないため無駄が多い。特に今後のテレビ放送の受信機としての利用増大が見込まれる携帯電話等のモバイル端末では記憶リソースは限られており、予告番組を端末側に格納しておくことは困難である。また、放送を行うための帯域に関する問題もある。帯域は有限であることから、予告番組の放送によって帯域幅を浪費することには問題が多い。また、少し長い予告番組を放送することが難しいなどの問題もある。
【０００９】
特許文献３では、ＥＰＧの番組情報にＵＲＬ情報が組込まれていることを前提としているが、現状のＥＰＧでは番組情報にＵＲＬ情報が組込まれることは希であり、組込まれていたとしても放送局のトップページを指し示すＵＲＬ情報が殆どであり、予告編の映像情報を指し示すＵＲＬ情報が組込まれることは、皆無に近い状況にある。
【課題を解決するための手段】
【００１０】
放送局、番組作成者などが番組を広告する目的で、ＥＰＧとは独立に、Ｗｅｂページ上に予告動画情報を多く掲載している．本発明では、このような放送に関する情報の通信手段による提供が一般化しつつある状況を鑑み、これらＷｅｂページ上の予告動画情報を利用することで、上記課題を解決する．具体的には、ＥＰＧなどの番組情報を表示させる番組情報表示装置において、少なくともテキスト情報を含む番組情報から番組に対するテキスト情報を抽出する番組情報抽出手段と、インターネットを通じて情報を送受信するインターネット通信手段と、アドレス情報から対応するＷｅｂページを取得するＷｅｂページ取得手段と、取得された当該Ｗｅｂページからリンクで連結されている連結Ｗｅｂページを探索するＷｅｂページ探索手段と、該探索したＷｅｂページと前記番組情報の類似度を判定する類似度判定手段と、該探索したＷｅｂページに予め定められた種別の情報へのリンクを含むことを判定するリンク判定手段と、該探索したＷｅｂページに特定の文字列を含むことを判定する文字列判定手段と、該探索したＷｅｂページに含まれる時刻を判定する時刻判定手段と、を備え、
前記類似度判定手段と前記リンク判定手段と前記文字列判定手段と前期時刻判定手段の結果に基き、番組情報と前記予め定められた種別の情報へのリンクを対応付けて表示することを特徴とする。
【発明の効果】
【００１１】
本発明によれば、視聴者は電子番組表の閲覧中に番組情報と対応するインターネット上の予告動画情報を、容易な操作で視聴することが可能となり、視聴、あるいは録画予約する番組の選択が容易になるという効果がある。
【実施例１】
【００１２】
本発明の一実施例である番組情報表示装置の構成としては、テキスト情報を含む番組情報を受信する番組情報取得手段と、インターネットにアクセスするインターネットアクセス手段と、上記番組情報を表示する表示装置と、上記テキスト情報から時刻情報および番組に関する単語集合を抽出する番組情報解析手段と、上記抽出した時刻情報および単語集合を番組解析情報として格納する記憶装置と、上記単語集合に含まれる番組提供元を示す単語に関連付けられた所定アドレスを取得するアドレス取得手段と、上記取得した所定アドレスに基づいてインターネット上の所定のＷｅｂページを取得し、当該取得したＷｅｂページを上記番組解析情報によって適合性判定する予告情報抽出手段とを備え、
該予告情報抽出手段は、上記取得したＷｅｂページと前記番組解析情報の相関性を評価する類似度判定手段と、上記取得したＷｅｂページが画像情報へのリンクを含むかどうかを判定するリンク判定手段と、上記取得したＷｅｂページがあらかじめ定められた特定の単語を含むかどうかを判定する文字列判定手段と、上記取得したＷｅｂページに含まれる時刻と上記番組解析情報に含まれる時刻を比較する時刻判定手段とを備え、上記番組情報と、上記適合性判定により抽出されたＷｅｂページが含む上記リンクを示す情報とを関連付けて、上記表示装置に表示することを特徴とする。また、本発明は、上記装置により実行される一連の処理からなる方法、および方法を実行させるプログラムを含む。
【００１３】
以下、本発明の番組情報表示装置の実施例とそれに接続されるネットワーク等を図を参照して説明する。
図１は本実施例の構成について説明する図である。本発明を実現するための番組情報表示装置１０１は、製品形態としてはたとえば携帯電話等の携帯端末として構成することができるが、ＯＳ１０８、番組情報解析プログラム１１０、予告情報抽出プログラム１１２、予告付番組情報表示プログラム１１４、予告動画情報再生プログラム１１５などのプログラム類、およびアドレス情報１０９、番組解析情報１１１、番組予告情報１１３などのデータ類を格納すると共に処理中の計算結果を一時的に格納する作業メモリ１１６を格納する記憶装置１０７、各種処理を実行するＣＰＵ１０４、ユーザからの入力受付を行う入力装置１０５、ユーザへの情報提示を行う出力装置１０６を備える。
【００１４】
また、装置１０１は、アンテナ１２１を通じてテレビ受像機が受信するＥＰＧに含まれる、番組タイトル、ジャンル、出演者などの番組情報１０２や、インターネット１３１を通じて放送局ポータルサイト１０３にアクセスし、番組の予告編の動画アドレスなどの情報を送受信する。尚、アンテナ１２１を通じずに、インターネット１３１から番組情報１０２を入力する構成も可能である。インターネット１３１との接続は有線・無線いずれでも可能である。
【００１５】
記憶装置１０７は、ＳＲＡＭやフラッシュメモリなどの不揮発性メモリで構成することが可能であるほか、プログラム類や不変データをＲＯＭに、ＥＰＧなどの可変データをＲＡＭに分ける構成としてもよく、半導体メモリではなく、磁気ディスクなどの記憶媒体で構成することも可能である。
【００１６】
入力装置１０５は、リモコンのボタンや十字カーソルキーと決定ボタンなどで構成することが可能であり、マウスなどのポインティングデバイスで代替し構成してもよい。
出力装置１０６は、液晶ディスプレイなどの表示装置で構成することが可能である。
【００１７】
図２はアドレス情報１０９の構成について説明する図である。アドレス情報１０９は放送局の情報２０１とインターネット上の放送局Ｗｅｂページのアドレス２０２のテーブルとして構成される。放送局の情報２０１は放送局名や放送局のチャンネル番号で表される。放送局Ｗｅｂページアドレス２０２は、各放送局が運営するポータルサイトのＷｅｂページのアドレスである。一般に、放送局のポータルサイトから、その放送局が放送する番組などのサブページへのリンクをたどり、番組のサブページを閲覧して番組情報を得ることができる。図２の例では、放送局名「ＸＹＺテレビ」に対して、放送局のポータルサイトのＷｅｂページのトップドメインアドレス「ｈｔｔｐ：／／ｗｗｗ．ｘｙｚｔｖ．ｃｏ．ｊｐ」が登録されている例を示している。放送局のポータルサイトのＷｅｂページのアドレスは、実質上固定であり変更されることはほとんどない。そのため予めアドレス情報１０９に書き込まれているが、詳述しない装置１０１の設定変更機能によって変更が可能となっている。
【００１８】
図３は番組情報解析プログラム１１０の処理方式について説明する図である。番組情報１０２には、複数の番組に対する番組情報が含まれており、各番組情報Ｐに対し処理を行う。ステップ３０１においては、番組情報から対象となる番組の放送日時、放送局名、タイトル、出演者情報などの番組情報を構成する要素を抽出する。番組情報を構成する要素は、番組情報１０２内で、タグ付けなどにより分類されており、そのタグ情報を参照することで抽出できる。ステップ３０２においては、番組情報における番組の番組構成要素のうちのタイトルや番組概要説明などのテキスト情報に対し形態素解析を行う。ステップ３０３においては、ステップ３０２において形態素解析された結果から助詞などを除いた意味のある単語を選択し、選択した単語を単語集合として抽出する。ステップ３０４ではステップ３０１で抽出した番組の構成要素とステップ３０３で抽出した単語集合を番組解析情報１１１として記憶装置１０７に格納する。
【００１９】
図１０は番組情報１０２の例を示す図である。番組情報１０２はタイトル、放送日、放送開始時刻、放送終了時刻、出演者、番組概要説明などのテキスト情報を含む電子データである。
【００２０】
図４は番組解析情報１１１の構成について説明する図である。番組解析情報１１１は各番組に対して番組情報解析プログラム１１０から得られる、放送日時４０１、放送局４０２、タイトル４０３、出演者４０４などの構成要素と単語集合４０５を要素とするテーブルとして構成される。
図４には、図１０の「番組Ａ」から抽出された番組解析情報が格納されている例を示しており、「番組Ａ」の単語集合として「温泉」「海の幸」などが登録されていることを例示している。
【００２１】
図５は予告情報抽出プログラム１１２の処理方式を説明する図である。番組情報１０２に含まれる各番組Ｐに対し処理を行う。
【００２２】
最初に、Ｗｅｂページ取得処理５０１を行う。Ｗｅｂページ取得処理５０１においては、アドレス情報１０９と、番組Ｐに対する番組解析情報１１１を参照し、番組解析情報１１１の番組構成要素のうちの放送局の情報４０２とアドレス情報１０９の放送局情報２０１とを比較し、一致する放送局に対応するＷｅｂページアドレス２０２をアドレス情報１０９より取得する。次に取得した放送局Ｗｅｂページアドレス２０２が示す放送局ポータルサイト１０３のＷｅｂページをインターネット１３１を通じて取得する。
【００２３】
次にＷｅｂページ探索処理５０２を行う。Ｗｅｂページ探索処理においては、Ｗｅｂページ取得処理５０１において取得したＷｅｂページを起点に１個からＮ個のリンクで連結されているＷｅｂページを順次インターネット１３１を通じて探索する。決められたアドレスのＷｅｂページからリンクされているＷｅｂページを探索する方法としては、ｉｎｔｅｒｎｅｔ  ｒｏｂｏｔや、ｃｒａｗｌｅｒと呼ばれる技術が一般的に知られている（文献：“Ｅｆｆｉｃｉｅｎｔ  Ｃｒａｗｒｉｎｇ  Ｔｈｒｏｕｇｈ  ＵＲＬ  Ｏｒｄｅｒｉｎｇ”７ｔｈ  ＷＷＷ  Ｃｏｎｆｅｒｅｎｃｅ  １９９８）。
【００２４】
Ｗｅｂページ探索処理５０２で探索された各Ｗｅｂページに対して、Ｗｅｂページ適合性判定処理５０３を行う。Ｗｅｂページ適合性判定処理５０３において適合性があると判定されたＷｅｂページに対し、ステップ５０４においてそのＷｅｂページのアドレス情報を返す。
【００２５】
図６はＷｅｂページ適合性判定処理５０３の処理方式を説明する図である。Ｗｅｂページ判定処理５０３はある番組Ｐに対して、Ｗｅｂページ取得処理５０１により得られたＷｅｂページを起点に、Ｗｅｂページ探索処理５０２により探索されたＷｅｂページＷｐに対して行われる。
【００２６】
類似度判定処理６０１は番組Ｐの番組解析情報１１１とＷｅｂページＷｐの類似度を判定する処理である。ＷｅｂページＷｐのアドレスが示すＨＴＭＬ文書をＨｗｐとするとき、類似度判定処理６０１において、対象番組Ｐの番組解析情報１１１に含まれるタイトル４０３、出演者名４０４、単語集合４０５に含まれる単語を全てあわせた総数Ｔ個のうち、Ｈｗｐに含まれる個数の割合が予め定められた閾値Ｓを超えたときに番組ＰとＷｅｂページＷｐが類似していると判定する。
【００２７】
リンク判定処理６０２は、類似度判定処理６０１において類似度があると判定されたＷｅｂページＷｐに対して行う。リンク判定処理６０２は、判定対象となるＷｅｂページＷｐが、予め定められた種別のファイルに対するリンクを含むか否かを判定する。ＷｅｂページＷｐに対するＨＴＭＬ文書Ｈｗｐに、動画ファイルを表す拡張子ａｓｘ、ｒａｍ、ｓｗｆ、ａｖｉなどをアドレスの末尾に持つリンク先が記載されているか否かを解析し、記載されている場合に、ＷｅｂページＷｐが定められた種別のファイル（動画ファイル）に対するリンクを含むと判定する。
【００２８】
予告情報判定処理６０３は、リンク判定処理６０２においてリンクを含むと判定されたＷｅｂページＷｐに対して行う。予告情報判定処理６０３は、対象となるＷｅｂページＷｐのＨＴＭＬ文書Ｈｗｐの中に予告であることを示す情報が含まれるか否かを判定する処理である。例えば、ＷｅｂページＷｐのＨＴＭＬ文書Ｈｗｐにおいて、リンク判定処理６０２でリンクを含むと判定する根拠となったリンク先が記載されている箇所の近辺の文字列に、「予告」「次週」「今週」「次回」「あらすじ」「ストーリー」などの単語文字列が含まれているか否かを解析し、これらの単語のうちいずれかが含まれている場合には、予告であることを示す情報、すなわち予告情報があると判定する。
【００２９】
日時判定処理６０４は、予告であることを示す情報を含むと判定されたＷｅｂページＷｐに対し行う。日時判定処理６０４は、対象となるＷｅｂページＷｐのＨＴＭＬ文書Ｈｗｐから「２００６年４月２日」「４月２日１９時」や「４／２  １９：００」などの日時を表すテキストを抽出する。日時表現の抽出方法に関しては、例えば、特開２００４−３０３１４１号公報に開示されているので詳細な説明を省略する。基本的な考え方としては、正規表現などで“［０−９］＊月［０−９］＊日［０−９］＊時“のような日時表現のパターンを記述し、このパターンとの照合により日時表現を抽出する。さらに、この日時表現を計算機などで取り扱うために、例えば、ＧＭＴ１９７０年１月１日０時からの経過秒などの表現に変換し正規化してもよい。このように抽出された日時と対象番組Ｐの番組解析情報１１１に含まれる放送日時情報４０１とを比較し、日時が一致するか否かを判定する。一致した場合には、リンク登録処理６０５でＷｅｂページＷｐが含む予め定められた種別のファイルへのリンク先アドレスを他の情報と共に、後述する番組予告情報１１３に登録する。
【００３０】
尚、比較は日付の一致のみで一致したと判定してもよい。一般に予告編のあるシリーズものの番組は日次、週次で放映されるものであり、日付が一致すればほぼ確実に当該番組の予告であると判断できる。
【００３１】
図１１はＷｅｂページＷｐのＨＴＭＬ文書Ｈｗｐの例を示す図である。文書中に番組タイトル「番組Ａ」や出演者名「○田△夫、◇川☆子さん」などの番組情報と、放送日時を表す「２００６年４月２日放送」、動画ファイルを表す拡張子が「ａｓｘ」や「ｒａｍ」などで終わるＵＲＬへのリンクタグ、予告であることを示す「予告編」などの予告文字列を含んでいる。
【００３２】
図７は番組予告情報１１３を説明する図である。番組予告情報１１３は各番組に対する放送日時７０１、放送局７０２、タイトル７０３などの番組情報構成要素と、その番組に対し、予告情報抽出プログラム１１２により得られた予告情報を示すＷｅｂページのアドレス７０４、および前記予告情報判定６０３でＷｅｂページＷｐのＨＴＭＬ文書Ｈｗｐに含まれていた予告であることを示す予告文字列７０５からなるテーブルとして構成される。
【００３３】
以上述べた処理を行うことで、番組解析情報１１１、番組予告情報１１３が作成される。
図８と図９は予告付番組情報表示プログラム１１４が表示する番組情報表示画面の例である。
図８は新聞のテレビ欄と同様の表示形式の場合の表示画面であり、図９は検索結果や推薦結果を表示する場合の一覧表形式の表示画面である。出力装置１０６に表示を行う際は、各番組に対応する予告情報のＷｅｂページアドレスを番組予告情報１１３を参照して取得し、番組表からアクセスできるボタン（８０１、９０１）を番組表内に表示する。
【００３４】
尚、ボタン８０１，９０１には、番組予告情報１１３に格納された予告文字列を表示するようにしてもよい。例えば、「あらすじ」、「次回」、「予告」は必ずしも同義ではないためである。
【００３５】
ユーザが入力装置１０５を用いて番組表のボタンを指示することで、予告動画情報再生プログラム１１５が対応する動画情報をインターネット１３１を通じて放送局ポータルサイト１０３から取得、当該動画の予告情報を再生し、出力装置１０６に表示する。
【００３６】
また、装置１０１で動画情報を再生せずに、予告動画情報再生プログラム１１５が動画のリンク情報を他の装置に再生指示と共に送出し、受信した装置が対応する動画情報をインターネット１３１を通じて放送局ポータルサイト１０３から取得、当該動画の予告情報を再生し、当該受信した装置の表示装置に表示するようにしてもよい。これは、例えば装置１０１が低リソースのインテリジェントリモコンであり、受信装置がインターネット接続大画面テレビの場合などに好適である。ユーザは手元のインテリジェントリモコンで番組表を、大画面テレビで予告編を視聴することができ、より番組内容を把握しやすくなる。
【００３７】
以上のように、本発明によれば、視聴者は電子番組表の閲覧中に番組情報と対応するインターネット上の予告動画情報を、容易な操作で視聴することが可能となり、視聴、あるいは録画予約する番組の選択が容易になる。
【産業上の利用可能性】
【００３８】
本願発明は、例えばＤＶＤレコーダ、ＴＶ等の家庭向け映像機器や、テレビ機能付きパソコン、携帯型メディアプレーヤー、番組表が表示できるインテリジェントリモコン等に適用できる。
【図面の簡単な説明】
【００３９】
【図１】本発明の構成を説明するブロック図である。
【図２】アドレス情報のデータ構造を説明する表図である。
【図３】番組情報解析プログラムの処理方式を説明する流れ図である。
【図４】番組解析情報のデータ構造を説明する表図である。
【図５】予告情報取得プログラムの処理方式を説明する流れ図である。
【図６】Ｗｅｂページ適合性判定処理の処理方式を説明する流れ図である。
【図７】番組予告情報のデータ構造を説明する表図である。
【図８】予告付番組表の表示例を説明する表図である。
【図９】予告付番組表の表示例を説明する表図である。
【図１０】番組情報の例を示す概念図である。
【図１１】ＷｅｂページのＨＴＭＬ文書の例を示す概念図である。
【符号の説明】
【００４０】
１０１  番組情報表示システム，  １０２  番組情報，１０３  放送局ポータルサイト，１０４  ＣＰＵ，１０５  入力装置作業，１０６  出力装置，  １０７  記憶装置，  １０８  ＯＳ，１０９  アドレス情報，１１０  番組情報解析プログラム，１１１  番組解析情報，１１２  予告情報抽出プログラム，１１３  番組予告情報，  １１４  予告付番組情報表示プログラム，１１５  予告動画情報再生プログタム，１１６  作業メモリ，１２１  アンテナ，１３１  インターネット，２０１  放送局情報，  ２０２  放送局Ｗｅｂページアドレス情報，  ４０１  放送日時情報，４０２  放送局情報，４０３  タイトル情報，４０４  出演者情報，４０５  単語集合，５０１  Ｗｅｂページ取得処理，５０２  Ｗｅｂページ探索処理，５０３  Ｗｅｂページ適合性判定処理，６０１  類似度判定処理，６０２  リンク判定処理，６０３  予告情報判定処理，６０４  日時判定処理，７０１  放送日時情報，  ７０２  放送局情報，７０３  タイトル情報，７０４  予告情報アドレス，７０５  予告文字列，８０１  予告情報表示ボタン，９０１  予告情報表示ボタン。
【図１】
2007295053.tif 000003
【図２】
2007295053.tif 000004
【図３】
2007295053.tif 000005
【図４】
2007295053.tif 000006
【図５】
2007295053.tif 000007
【図６】
2007295053.tif 000008
【図７】
2007295053.tif 000009
【図８】
2007295053.tif 000010
【図９】
2007295053.tif 000011
【図１０】
2007295053.tif 000012
【図１１】
2007295053.tif 000013